(57)【要約】【課題】  二次電池の電池残量と劣化度合いを、省スペースで表示する機能を備えた電気掃除機に関するものである。【解決手段】  上記課題を解決するために、電気掃除機本体と、前電気掃除機本体に取付ける二次電池を備え、前電気掃除機本体に運転制御用マイコンと電池電圧検出部と表示部を備え、前二次電池部に劣化度合いを算出する電池制御用マイコンを備え、運転制御用マイコンは、前電池電圧検出部と二次電池の劣化度合いから、表示部の点灯や点滅を制御する機能を備えることで達成する。【選択図】図３
2020185299.tif 000002
【特許請求の範囲】
【請求項１】
運転制御用マイコンと電池電圧検出部と表示部を備えた電気掃除機本体と、前電気掃除機本体に取付ける二次電池を備え、前記二次電池に電池劣化度を算出する電池制御用マイコンを備え、前記運転制御用マイコンは、前記電池電圧検出部と前記電池劣化度から、前記表示部の点灯や点滅を制御することを特徴とする電気掃除機。
【請求項２】
前記表示部が、セグメントモジュール化された電池マークで表現することを特徴とする請求項１記載の電気掃除機。
【発明の詳細な説明】
【技術分野】
【０００１】
本発明は、電池残量の表示部を用いて、電池劣化度合いを表示させる制御をする機能を備えた電気掃除機に関するものである。
【背景技術】
【０００２】
二次電池で動作する電気機器は、電池残量を表示し、動作が停止するまでの残り時間の目安を表現しているものが多い。しかしながら、電池は消耗品であるため、劣化度合いによっては、電池の消耗時間が早くなるため、電池残量の表示と実際の動作時間が必ずしも一致しているとは言い難く、使用者にとっては、電池残量表示から、あとどのくらい使用できるか分かり難いという課題がある。これを解決するために、先行技術文献である特許文献１においては、劣化度合いに応じた表示をする制御方法が考えられている。
【先行技術文献】
【特許文献】
【０００３】
【特許文献１】特願２００３−３３７１４８号公報
【発明の概要】
【発明が解決しようとする課題】
【０００４】
先行技術文献である特許文献１においては、電池の劣化状態を判別し、それを表示部に表示する機能を特徴としている。しかしながら、表示部に劣化度合いを直接メッセージにより表現しているため、十分な表示スペースの確保が必要となり、例えばスティック型掃除機等のように表示部が限られたスペースである場合には、劣化度合いを表現することが困難である。
【課題を解決するための手段】
【０００５】
上記課題を解決するために、電気掃除機本体と、該電気掃除機本体に取付ける二次電池を備え、該電気掃除機本体に運転制御用マイコンと電池電圧検出部と表示部を備え、該二次電池部に劣化度合いを算出する電池制御用マイコンを備え、運転制御用マイコンは、該電池電圧検出部と二次電池の劣化度合いから、表示部の点灯や点滅を制御する機能を備えることで達成する。
【発明の効果】
【０００６】
本発明によれば、二次電池の電池残量および電池劣化度合いを小さいスペースで表現することができ、使用者に動作時間や交換時期の目安をお知らせることができる。
【図面の簡単な説明】
【０００７】
【図１】（a）本発明の電気掃除機の上面図である。（ｂ）本発明の電気掃除機の側面図である。
【図２】(ａ)本発明の電気掃除機の手元操作部とＬＥＤ表示部の拡大図である。（ｂ）本発明のＬＥＤ表示部の詳細説明図である。（ｃ）本発明のＬＥＤ表示部の詳細説明図である。
【図３】本発明の電気掃除機の回路ブロック図である。
【図４】本発明の表示部の点灯／点滅制御を説明する図である。
【発明を実施するための形態】
【０００８】
以下、本発明を下記の実施例により説明する。
【実施例】
【０００９】
図１（a）（ｂ）は、着脱可能な二次電池２を電力源とする充電式掃除機１の上面図および側面図である。充電式掃除機１は、ループ上ハンドルの上部に手元操作部３を配置し、運転モード切替スイッチ３ａ〜３ｃとＬＥＤ表示部４を備えている。
【００１０】
図２（a）（ｂ）（ｃ）は手元操作部３とLED表示部４の詳細説明図である。図２（a）は、手元操作部３とLED表示部４の拡大図である。図２（ｂ）（ｃ）は、LED表示部４の詳細説明図である。手元操作部１は３つの運転モード切替スイッチ３ａ〜３ｃと、表示部４を備える。LED表示部４は、電池マークを表現したセグメントモジュール４ａで構成されたものであり、直下のＬＥＤ素子により、点灯、点滅を制御することができる。
【００１１】
運転モード切替スイッチ３の操作により、運転モードに対応した電動送風機を駆動させ、運転することができる。運転中はLED表示部４の内側セグメント（B,C,D）は、電池電圧によって残量表示を内側セグメントの点灯数により表現し、外側セグメント（A）は、劣化度合いを点滅で表現させることで、運転時間および電池交換時期の目安を表現させる。
【００１２】
二次電池２の電圧値は電池残量と相関があるので、電池残量の判定に使うことができる。二次電池の劣化度合いは、電池パック内の電池制御ＩＣにより判定し、劣化度の判定に使用する。
【００１３】
図３は本発明のブロック図であり、二次電池２と電池制御ＩＣ（電池制御用マイコン）５と運転制御用マイコン６と電圧検知部７と表示部４から構成される。運転制御用マイコン６は電圧検出部７による二次電池の電圧値Ｖから、電池残量を計算し、表示部４の内側セグメントの点灯を制御する。また、電池劣化度は、電池制御ＩＣ５が判定したものを運転制御用マイコンに伝送し、劣化度合いに対応した外側セグメントの点滅周期を制御する。
【００１４】
以下、実際の表示方法を具体例として説明する。二次電池２がリチウムイオン電池（使用電圧２．６Ｖ〜４．２Ｖ）６セルで構成されている場合に、電池残量に関しては、表示部４の内側セグメントの点灯を、満充電時はセグメントＢ、Ｃ、ＤのＬＥＤ３個を点灯し、残量７０％になった時点でＤのＬＥＤを消灯し、B,CのLED２個を点灯したままにし、残量４０％になった時点でDを消灯したままでＣを消灯し、BのLED１個を点灯したままにし、残量１０％になった時点で、C,Dを消灯したままで、ＢのＬＥＤを点滅させる（点灯と消灯を繰り返す）ような制御を行う。残量１０％になった時点でBのLEDを点滅させることで、電池が減っていく表現を行う。
【００１５】
また、電池劣化度については、７０％になった時点で、セグメントAを１．５秒ＯＮ−０．５秒ＯＦＦの点滅周期により点滅させることで、電池劣化となっていることを表現する。電池交換が必要な条件になった場合は、７０％になった場合よりも早い点滅となるように、セグメントAを０．５秒ＯＮ−０．５秒ＯＦＦの点滅とし、使用者に電池交換時期の目安となっていることを表示する。
【００１６】
以上により、使用者が電池が劣化している状態で掃除を開始した場合に、電池残量の減り方が大きく運転時間が短いと感じた場合は、電池劣化度を示す点灯表示から、取扱説明書に記載の、電池劣化時の目安時間を参考に使用時間を把握することができる。
【００１７】
本実施例では、約３０％低下毎に点灯・点滅周期の制御を行っているが、さらに細分化した内容で表示制御を実施しても良い。
【符号の説明】
【００１８】
１  手元操作部
２  二次電池
３  制御部
４  操作部
５  表示部
６  マイコン
７  電圧検出部
【図１】
2020185299.tif 000003
【図２】
2020185299.tif 000004
【図３】
2020185299.tif 000005
【図４】
2020185299.tif 000006